(57)【特許請求の範囲】
【請求項１】
燃料ガスを燃焼させるバーナーと、暖房対象空間の空気を取り入れ、その取り入れた空気と前記バーナーの燃焼ガスとを混合して前記暖房対象空間に吹き出すように通風作用する燃焼式暖房用送風機とを有する燃焼式暖房部、及び、前記暖房対象空間の空気を取り入れ、その取り入れた空気を前記暖房対象空間に吹き出すように通風作用する電気式暖房用送風機と、当該電気式暖房用送風機により通風される空気を加熱する電気ヒーターとを有する電気式暖房部を有する暖房手段、並びに、
温度によって前記バーナーの燃焼状態を検出する燃焼状態検出手段、並びに、
運転を制御する運転制御手段を備えるハイブリッド式温風暖房機であって、
前記運転制御手段は、前記燃焼式暖房部及び前記電気式暖房部を共に動作開始させて前記燃焼式暖房部の出力を所定の目標燃焼暖房出力にさせ且つ前記電気式暖房部の出力を所定の目標電気暖房出力にさせる動作開始処理において、前記燃焼式暖房部の前記バーナーの燃焼開始を前記燃焼状態検出手段によって検出した後、前記電気ヒーターへの通電を開始して前記電気式暖房部の出力を前記目標電気暖房出力にさせるハイブリッド式温風暖房機。
【請求項２】
燃料ガスを燃焼させるバーナーと、暖房対象空間の空気を取り入れ、その取り入れた空気と前記バーナーの燃焼ガスとを混合して前記暖房対象空間に吹き出すように通風作用する燃焼式暖房用送風機とを有する燃焼式暖房部、及び、前記暖房対象空間の空気を取り入れ、その取り入れた空気を前記暖房対象空間に吹き出すように通風作用する電気式暖房用送風機と、当該電気式暖房用送風機により通風される空気を加熱する電気ヒーターとを有する電気式暖房部を有する暖房手段、並びに、
温度によって前記バーナーの燃焼状態を検出する燃焼状態検出手段、並びに、
運転を制御する運転制御手段を備えるハイブリッド式温風暖房機であって、
前記運転制御手段は、前記燃焼式暖房部及び前記電気式暖房部を共に動作開始させて前記燃焼式暖房部の出力を所定の目標燃焼暖房出力にさせ且つ前記電気式暖房部の出力を所定の目標電気暖房出力にさせる動作開始処理において、前記燃焼式暖房部の前記バーナーの燃焼を開始させて前記燃焼式暖房部の出力を前記目標燃焼暖房出力にさせ且つ前記電気ヒーターへの通電を開始させて前記電気式暖房部の出力を前記目標電気暖房出力未満の所定の過渡電気暖房出力にさせ、前記燃焼式暖房部の前記バーナーの燃焼開始を前記燃焼状態検出手段によって検出した後、前記電気式暖房部の出力を前記目標電気暖房出力にさせるハイブリッド式温風暖房機。
【請求項３】
前記バーナーへの燃料ガスの単位時間当たりの供給量を調整する燃料調整器と、前記バーナーで燃料ガスに点火するための火花を発生させる点火器とを備え、
前記運転制御手段は、前記動作開始処理において、前記燃料調整器及び前記燃焼式暖房用送風機の動作を制御して前記バーナーへ燃料ガス及び空気を供給すると共に前記点火器で火花を発生させることで前記燃焼式暖房部の前記バーナーの燃焼を開始させ、前記燃焼式暖房部の前記バーナーの燃焼開始を前記燃焼状態検出手段によって検出した後、前記点火器での火花の発生を停止させる請求項１又は２に記載のハイブリッド式温風暖房機。
【発明の詳細な説明】
【技術分野】
【０００１】
本発明は、燃料ガスを燃焼させるバーナーと、暖房対象空間の空気を取り入れ、その取り入れた空気とバーナーの燃焼ガスとを混合して暖房対象空間に吹き出すように通風作用する燃焼式暖房用送風機とを有する燃焼式暖房部、及び、暖房対象空間の空気を取り入れ、その取り入れた空気を暖房対象空間に吹き出すように通風作用する電気式暖房用送風機と、当該電気式暖房用送風機により通風される空気を加熱する電気ヒーターとを有する電気式暖房部を有する暖房手段を備えるハイブリッド式温風暖房機に関する。
【背景技術】
【０００２】
特許文献１には、燃焼式暖房部及び電気式暖房部を有するハイブリッド式温風暖房機が記載されている。このハイブリッド式温風暖房機では、燃焼式暖房部は暖房運転中に常時動作し、電気式暖房部は立上り暖房時にのみ動作するように構成されている。具体的には、特許文献１に記載のハイブリッド式温風暖房機では、運転開始スイッチが投入されると、燃焼式暖房部のバーナーでの燃料ガスの燃焼と、電気式暖房部の電気ヒーターでの通電とが同時に開始するように構成されている。
【先行技術文献】
【特許文献】
【０００３】
【特許文献１】特開平５−０３４０１０号公報
【発明の概要】
【発明が解決しようとする課題】
【０００４】
温風暖房機では、燃料調整器が、バーナーへの燃料ガスの単位時間当たりの供給量を調整し、点火器が、バーナーで燃料ガスに点火するための火花を発生させる。また、温風暖房機は、温度によってバーナーの燃焼状態を検出する熱電対などの燃焼状態検出手段を備えている。そして、燃焼式暖房部の動作を開始させるとき、燃料調整器及び燃焼式暖房用送風機の動作を制御してバーナーへ燃料ガス及び空気を供給すると共に点火器で火花を発生させることで燃焼式暖房部のバーナーの燃焼を開始させ、燃焼式暖房部のバーナーの燃焼開始を燃焼状態検出手段によって検出した後、点火器での火花の発生を停止させる。従って、燃焼式暖房部の動作を開始させるために燃料調整器及び燃焼式暖房用送風機の動作を制御してバーナーへ燃料ガス及び空気を供給すると共に点火器で火花を発生させたとき、もしも燃焼状態検出手段によって熱の発生（即ち、バーナーの燃焼）を検出できなければ、例えばガス栓が開いていないか或いは機器が故障しているなどの理由により、バーナーに着火していないと判断できる。尚、ガス栓が開いており且つ機器が正常であっても、ガスコード（ガスホース）を温風暖房機に対して新たに装着した直後では、ガスコード内に空気が残留しているため、その空気が燃料ガスで全て押し出されるまではバーナーに燃料ガスが到達せず、その間はバーナーに着火しないこともある。
【０００５】
ところが、ハイブリッド式温風暖房機では、燃焼式暖房部のバーナーに着火しなくても、電気式暖房部の電気ヒーターで発生した熱が燃焼状態検出手段で検出される可能性がある。特に、特許文献１に記載のように、運転開始スイッチが投入されると、燃焼式暖房部のバーナーでの燃料ガスの燃焼と、電気式暖房部の電気ヒーターでの通電とが同時に開始するように構成されている場合、上述したようにガスコード内に空気が残留している等の理由によってバーナーへの着火が遅れていたとしても、電気式暖房部の電気ヒーターで発生した熱が、燃焼式暖房部のバーナーの着火と誤認される可能性もある。
【０００６】
本発明は、上記の課題に鑑みてなされたものであり、その目的は、燃焼式暖房部のバーナーの着火を適切に検出できるハイブリッド式温風暖房機を提供する点にある。
【課題を解決するための手段】
【０００７】
上記目的を達成するための本発明に係るハイブリッド式温風暖房機の特徴構成は、燃料ガスを燃焼させるバーナーと、暖房対象空間の空気を取り入れ、その取り入れた空気と前記バーナーの燃焼ガスとを混合して前記暖房対象空間に吹き出すように通風作用する燃焼式暖房用送風機とを有する燃焼式暖房部、及び、前記暖房対象空間の空気を取り入れ、その取り入れた空気を前記暖房対象空間に吹き出すように通風作用する電気式暖房用送風機と、当該電気式暖房用送風機により通風される空気を加熱する電気ヒーターとを有する電気式暖房部を有する暖房手段、並びに、
温度によって前記バーナーの燃焼状態を検出する燃焼状態検出手段、並びに、
運転を制御する運転制御手段を備えるハイブリッド式温風暖房機であって、
前記運転制御手段は、前記燃焼式暖房部及び前記電気式暖房部を共に動作開始させて前記燃焼式暖房部の出力を所定の目標燃焼暖房出力にさせ且つ前記電気式暖房部の出力を所定の目標電気暖房出力にさせる動作開始処理において、前記燃焼式暖房部の前記バーナーの燃焼開始を前記燃焼状態検出手段によって検出した後、前記電気ヒーターへの通電を開始して前記電気式暖房部の出力を前記目標電気暖房出力にさせる点にある。 
【０００８】
上記特徴構成によれば、燃焼式暖房部及び電気式暖房部を共に動作開始させて燃焼式暖房部の出力を所定の目標燃焼暖房出力にさせ且つ電気式暖房部の出力を所定の目標電気暖房出力にさせる動作開始処理において、バーナーの燃焼開始を燃焼状態検出手段で検出するとき、電気式暖房部の出力は未だ目標電気暖房出力にはされておらず、電気式暖房部の電気ヒーターから放出される熱は小さい状態になっている。そのため、燃焼状態検出手段が、電気式暖房部の電気ヒーターが放出した熱を、燃焼式暖房部のバーナーで燃料ガスの燃焼が開始されたことで放出された熱であると誤認することを回避できる。
従って、燃焼式暖房部のバーナーの着火を適切に検出できるハイブリッド式温風暖房機を提供できる。
【００１０】
加えて、燃焼状態検出手段が燃焼式暖房部のバーナーの燃焼開始を検出するまでは、電気ヒーターへの通電が行われないため、電気ヒーターからの熱の放出は行われない。その結果、燃焼状態検出手段は、燃焼式暖房部のバーナーに着火したか否かを確実に検出できる。 
【００１１】
上記目的を達成するための本発明に係るハイブリッド式温風暖房機の特徴構成は、燃料ガスを燃焼させるバーナーと、暖房対象空間の空気を取り入れ、その取り入れた空気と前記バーナーの燃焼ガスとを混合して前記暖房対象空間に吹き出すように通風作用する燃焼式暖房用送風機とを有する燃焼式暖房部、及び、前記暖房対象空間の空気を取り入れ、その取り入れた空気を前記暖房対象空間に吹き出すように通風作用する電気式暖房用送風機と、当該電気式暖房用送風機により通風される空気を加熱する電気ヒーターとを有する電気式暖房部を有する暖房手段、並びに、
温度によって前記バーナーの燃焼状態を検出する燃焼状態検出手段、並びに、
運転を制御する運転制御手段を備えるハイブリッド式温風暖房機であって、
前記運転制御手段は、前記燃焼式暖房部及び前記電気式暖房部を共に動作開始させて前記燃焼式暖房部の出力を所定の目標燃焼暖房出力にさせ且つ前記電気式暖房部の出力を所定の目標電気暖房出力にさせる動作開始処理において、前記燃焼式暖房部の前記バーナーの燃焼を開始させて前記燃焼式暖房部の出力を前記目標燃焼暖房出力にさせ且つ前記電気ヒーターへの通電を開始させて前記電気式暖房部の出力を前記目標電気暖房出力未満の所定の過渡電気暖房出力にさせ、前記燃焼式暖房部の前記バーナーの燃焼開始を前記燃焼状態検出手段によって検出した後、前記電気式暖房部の出力を前記目標電気暖房出力にさせる点にある。 
【００１２】
上記特徴構成によれば、燃焼式暖房部及び電気式暖房部を共に動作開始させて燃焼式暖房部の出力を所定の目標燃焼暖房出力にさせ且つ電気式暖房部の出力を所定の目標電気暖房出力にさせる動作開始処理において、バーナーの燃焼開始を燃焼状態検出手段で検出するとき、電気式暖房部の出力は未だ目標電気暖房出力にはされておらず、電気式暖房部の電気ヒーターから放出される熱は小さい状態になっている。そのため、燃焼状態検出手段が、電気式暖房部の電気ヒーターが放出した熱を、燃焼式暖房部のバーナーで燃料ガスの燃焼が開始されたことで放出された熱であると誤認することを回避できる。
従って、燃焼式暖房部のバーナーの着火を適切に検出できるハイブリッド式温風暖房機を提供できる。
また、燃焼状態検出手段が燃焼式暖房部のバーナーの燃焼開始を検出するまでは、電気式暖房部の出力は、目標電気暖房出力未満の所定の過渡電気暖房出力に抑制される。つまり、電気ヒーターから放出される熱量は小さい状態になっているため、燃焼状態検出手段が、電気式暖房部の電気ヒーターが放出した熱を、燃焼式暖房部のバーナーで燃料ガスの燃焼が開始されたことで放出された熱であると誤認することを回避できる。
加えて、燃焼状態検出手段が燃焼式暖房部のバーナーの燃焼開始を検出するまでの間に電気ヒーターへの通電が開始されて電気ヒーターが温まっていると、燃焼式暖房部のバーナーの燃焼開始を燃焼状態検出手段によって検出した後に電気式暖房部の出力を上昇させるとき、その電気式暖房部の出力が目標電気暖房出力になるまでの所要時間が短くなることを期待できる。
【００１３】
本発明に係るハイブリッド式温風暖房機の更に別の特徴構成は、前記燃焼式暖房部は、前記バーナーへの燃料ガスの単位時間当たりの供給量を調整する燃料調整器と、前記バーナーで燃料ガスに点火するための火花を発生させる点火器とを有し、
前記運転制御手段は、前記動作開始処理において、前記燃料調整器及び前記燃焼式暖房用送風機の動作を制御して前記バーナーへ燃料ガス及び空気を供給すると共に前記点火器で火花を発生させることで前記燃焼式暖房部の前記バーナーの燃焼を開始させ、前記燃焼式暖房部の前記バーナーの燃焼開始を前記燃焼状態検出手段によって検出した後、前記点火器での火花の発生を停止させる点にある。
【００１４】
上記特徴構成によれば、燃焼式暖房部のバーナーの燃焼開始を燃焼状態検出手段によって適切に検出した後、点火器での火花の発生を停止させる。従って、燃焼式暖房部のバーナーが燃焼開始していないにも関わらず、燃焼式暖房部のバーナーが燃焼開始したと誤認して点火器での火花の発生が停止されるといった問題を回避できる。
【図面の簡単な説明】
【００１５】
【図１】ハイブリッド式温風暖房機の外観を示す斜視図である。
【図２】ハイブリッド式温風暖房機の縦断右側面図である。
【図３】ハイブリッド式温風暖房機の縦断正面図である。
【図４】ハイブリッド式温風暖房機の操作部を示す図である。
【図５】ハイブリッド式温風暖房機の制御構成を示すブロック図である。
【図６】ハイブリッド式暖房での運転を説明するフローチャートである。
【図７】暖房手段の動作開始処理を説明するフローチャートである。
【発明を実施するための形態】
【００１６】
＜第１実施形態＞
以下、図面に基づいて、本発明の第１実施形態に係るハイブリッド式温風暖房機について説明する。
図１はハイブリッド式温風暖房機の外観を示す斜視図であり、図２はハイブリッド式温風暖房機の縦断右側面図であり、図３はハイブリッド式温風暖房機の縦断正面図である。また、図４はハイブリッド式温風暖房機の操作部を示す図であり、図５はハイブリッド式温風暖房機の制御構成を示すブロック図である。図示するように、ハイブリッド式温風暖房機は、燃料ガスを燃焼させるガスバーナー１（バーナーの一例）と、暖房対象空間の空気を取り入れ、その取り入れた空気とガスバーナー１の燃焼ガスとを混合して暖房対象空間に吹き出すように通風作用する燃焼式暖房用送風機２とを備えた燃焼式暖房部Ｈｆ、暖房対象空間の空気を取り入れ、その取り入れた空気を暖房対象空間に吹き出すように通風作用する電気式暖房用送風機３と、その電気式暖房用送風機３により通風される空気を加熱するシーズヒーター４（電気ヒーターの一例）とを備えた電気式暖房部Ｈｅ、運転を制御する運転制御部５（運転制御手段の一例）、及び、その運転制御部５に各種制御情報を送信する操作部６等を備えて構成されている。
【００１７】
この実施形態では、シーズヒーター４が、燃焼式暖房用送風機２の通風作用によって通風される通風領域に配置されて、燃焼式暖房用送風機２と電気式暖房用送風機３とに共用される共用送風機７が設けられている。
【００１８】
以下、ハイブリッド式温風暖房機の各部について、説明を加える。尚、以下の説明において、左右、前後、上下の方向を用いて各部材の形状、各部材の配置関係等を説明するに当たっては、左右、前後及び上下の各方向は、図１〜図３の各図中で各部材に対応する方向として説明する。
図１〜図３に示すように、吸気口８及び温風吹出口９が設けられた本体ケース１０内に、上流側が吸気口８に連通し、且つ、下流側が温風吹出口９に連通する温風通風路１１が設けられ、その温風通風路１１内に、ガスバーナー１を備えた燃焼ユニットＵが燃焼ガスを温風通風路１１に対して吹き出し可能に配設されている。本体ケース１０は、前後方向の寸法が左右方向の寸法よりも小さい薄型形状に構成され、温風吹出口９は、その本体ケース１０の前面下部に設けられ、吸気口８は、その本体ケース１０の後面における高さ方向において温風吹出口９の上縁部よりも上方の位置に設けられている。吸気口８には、塵埃を捕捉するためのエアフィルタ２４が設けられている。
【００１９】
燃焼ユニットＵは、ガスバーナー１と、そのガスバーナー１の炎孔１ｈから噴出される燃料ガスを燃焼させる燃焼室１２とを備えて構成される。ガスバーナー１は、ブンゼン燃焼式であり、燃料供給路１５を通じて供給される燃料ガスを噴出するガスノズル１ｎ、そのガスノズル１ｎから燃料ガスが噴出されると共に、その燃料ガスの噴出に伴う吸引作用により一次燃焼用空気が供給される混合管１ｐ、及び、混合管１ｐから供給される混合気を噴出する複数の炎孔１ｈを列状に備えたガスバーナー本体１ｍ等を備えて構成されている。ガスバーナー本体１ｍは、左右方向に長い細長状に構成されて、その内部空間に混合管１ｐから混合気が供給されるように、混合管１ｐの上方に連通状態で接続され、このガスバーナー本体１ｍの上面部に、左右方向に沿って、複数の炎孔１ｈが列状に形成されている。
【００２０】
この実施形態では、燃焼室１２として、下方に下段用空気取入口１３Ａを備え且つ上方に下段用燃焼ガス吹出口１４Ａを備えた下段燃焼室１２Ａと、下方に上段用空気取入口１３Ｂを備え且つ上方に上段用燃焼ガス吹出口１４Ｂを備えた上段燃焼室１２Ｂとが、下段用燃焼ガス吹出口１４Ａを上段燃焼室１２Ｂ内に臨ませた状態で、上下方向に並べて設けられている。そして、下段燃焼室１２Ａにおいて、ガスバーナー１の炎孔１ｈから噴出される燃料ガスを下段用空気取入口１３Ａから導入される二次燃焼用空気により一次燃焼させ、上段燃焼室１２Ｂにおいて、下段用燃焼ガス吹出口１４Ａから燃焼ガスと共に導入される未燃の燃料ガスを上段用空気取入口１３Ｂから導入される二次燃焼用空気にて二次燃焼させるように構成されて、ガスバーナー１が２段階燃焼型に構成されている。
【００２１】
上段燃焼室１２Ｂを内部に形成する上段燃焼室形成体１６は、前後方向の寸法が左右方向の寸法よりも小さい薄型で、横断面形状が左右方向に長い矩形状となる箱状に構成され、後面の下部に、左右方向に長い細長状で後方向きの連通用開口部１７が設けられ、上面部に、左右方向に長い細長状の上段用燃焼ガス吹出口１４Ｂが設けられている。この上段燃焼室形成体１６の底部は、左右方向視での縦断面形状で、概略Ｖ字状の樋状になるように構成されている。
【００２２】
下段燃焼室１２Ａを内部に形成する下段燃焼室形成体１８は、左右方向の寸法が上段燃焼室形成体１６と同等で、前後方向の寸法及び高さが上段燃焼室形成体１６よりも小さい細長の直方体形の箱状に構成され、その下段燃焼室形成体１８の下面部に、ガスバーナー１のガスバーナー本体１ｍを挿入させる細長状（左右方向に長い）のガスバーナー挿通孔１９と、そのガスバーナー挿通孔１９の前後夫々に位置させた細長状（左右方向に長い）の下段用空気取入口１３Ａとが備えられ、上面部に、細長状（左右方向に長い）の下段用燃焼ガス吹出口１４Ａが備えられている。そして、炎孔１ｈの並び方向を左右方向に沿わせた姿勢で、ガスバーナー本体１ｍをガスバーナー挿通孔１９に挿入させた状態で、ガスバーナー１を下段燃焼室形成体１８に支持させる。
【００２３】
上段燃焼室形成体１６の内部において、連通用開口部１７のやや上方で、且つ、前後方向の略中央に位置させて、ガスバーナー１を支持した下段燃焼室形成体１８が、その長手方向を上段燃焼室形成体１６の長手方向に沿わせた姿勢で配設されている。そして、上段燃焼室形成体１６の内部における下段燃焼室形成体１８の前方、上方及び後方にわたる領域が、上段燃焼室１２Ｂとされ、上段燃焼室形成体１６の前壁部の内面と下段燃焼室形成体１８の前壁部の下端縁にて形成される細長状（左右方向に長い）の開口部、及び、上段燃焼室形成体１６の後壁部の内面と下段燃焼室形成体１８の後壁部の下端縁にて形成される細長状（左右方向に長い）の開口部夫々が、上段用空気取入口１３Ｂとして用いられる。
【００２４】
上述のように構成された燃焼ユニットＵが、その連通用開口部１７を吸気口８における上下方向の下寄りの中間箇所に臨ませた状態で、本体ケース１０の内部に配設されている。本体ケース１０内に、温風通風路１１を形成する通風路形成体２０が、吸気口８の上縁部から燃焼ユニットＵの上方を覆う状態で前方に延びて下向きに屈曲し、更に、燃焼ユニットＵの前方を覆う状態で下方に延びて、温風吹出口９の上縁部に連なる形態で設けられている。そして、通風路形成体２０により、温風通風路１１が、燃焼ユニットＵの上方を前方に延びて下方に屈曲し、更に、燃焼ユニットＵの前方を下方に延びる形態に区画形成される。
【００２５】
更に、左右方向視での縦断面形状が山形状の分流板２１が、燃焼ユニットＵと通風路形成体２０との間の温風通風路１１を上下方向に２分するように、それらの間に位置させた状態で、本体ケース１０内に設けられている。
【００２６】
共用送風機７は、回転軸芯に直交する方向に吸い込み並びに送風作用する羽根体７ｆと、その羽根体７ｆを回転軸芯で回転駆動するファン駆動用モータ７ｍとを備えたクロスフローファンにて構成されている。本体ケース１０内に、送風機７の羽根体７ｆを収容するファンケース２２が、吸気口８の下端縁と温風吹出口９の下端縁とにわたって設けられている。ファンケース２２は、左右方向視での縦断面形状が概略半円状となる細長状の樋状であり、その後方側に、径方向外方に延びる板状縁部２２ｅが備えられている。
【００２７】
このようなファンケース２２が、長手方向を左右方向に沿わせた姿勢で、その開口部を斜め上前向きに向けて、通風路形成体２０の下端部と上段燃焼室形成体１６の下端部とにより形成される斜め下後ろ向きの開口部に対向させた姿勢で、後端縁（板状縁部２２ｅの端縁）を吸気口８の下端縁に接続し、且つ、前端縁を温風吹出口９の下端縁に接続した状態で、本体ケース１０内に設けられている。そして、上段燃焼室形成体１６の樋状底部における後方側の後倒れ状の板状部分と、ファンケース２２の後方の板状縁部２２ｅとにより、吸気口８を、下段燃焼室１２Ａ及び上段燃焼室１２Ｂを迂回して温風通風路１１に連通させるバイパス風路２３が構成される。
【００２８】
共用送風機７の羽根体７ｆが、回転軸芯を左右方向に沿わせてファンケース２２内に位置させた状態で、回転自在に支持されている。そして、ファン駆動用モータ７ｍにより羽根体７ｆを回転駆動することにより、共用送風機７の吸引作用が、温風通風路１１の下流側に対して作用すると共に、バイパス風路２３に作用するように構成されている。
【００２９】
シーズヒーター４は、２本の直線状部４ｐを平行状態に備えた形態のＵ字状に屈曲され、そのＵ字状のシーズヒーター４が、各直線状部４ｐの長手方向を左右方向に沿わせた姿勢で、上段燃焼室１２Ｂ内における上段燃焼室形成体１６の後壁部と下段燃焼室形成体１８の後壁部との間の空気の通流域に配置されている。
【００３０】
次に、２段階燃焼型のガスバーナー１の燃焼形態、及び、そのガスバーナー１による温風の生成形態について説明する。
共用送風機７を作動させることにより、温風通風路１１を通して、吸気口８及び上段用燃焼ガス吹出口１４Ｂに吸引作用し、上段用燃焼ガス吹出口１４Ｂ、上段燃焼室１２Ｂ、上段用空気取入口１３Ｂ及び連通用開口部１７を介して吸気口８に吸引作用すると共に、上段用燃焼ガス吹出口１４Ｂ、上段燃焼室１２Ｂ、下段用燃焼ガス吹出口１４Ａ、下段燃焼室１２Ａ、下段用空気取入口１３Ａ及び連通用開口部１７を介して吸気口８に吸引作用し、並びに、バイパス風路２３を通して吸気口８に吸引作用する。すると、吸気口８から取り入れられた空気は、直接、温風通風路１１の上流端に導入され、並びに、連通用開口部１７を介して、下段用空気取入口１３Ａから下段燃焼室１２Ａ内に二次燃焼用空気として導入されると共に、上段用空気取入口１３Ｂから上段燃焼室１２Ｂ内に二次燃焼用空気として導入され、更には、バイパス風路２３を通って、下段燃焼室１２Ａ及び上段燃焼室１２Ｂを迂回して温風通風路１１に導入される。
【００３１】
ガスバーナー１の複数の炎孔１ｈから噴出された混合気は、下段燃焼室１２内において、下段用空気取入口１３Ａから導入された二次燃焼用空気により一次燃焼して、一次火炎Ｆａが形成され、更に、その一次燃焼による燃焼ガス及び一次燃焼での未燃の燃料ガスが、下段用燃焼ガス吹出口１４Ａから上段燃焼室１２Ｂ内に吹き出され、上段燃焼室１２Ｂ内において、未燃の燃料ガスが上段用空気取入口１３Ｂから導入された二次燃焼用空気により二次燃焼して、二次火炎Ｆｂが形成される。そして、一次燃焼による燃焼ガス及び二次燃焼による燃焼ガスが上段用燃焼ガス吹出口１４Ｂから温風通風路１１に吹き出されて、吸気口８から直接温風通風路１１の上流端に導入された空気と混合されて温風が生成され、その温風が温風通風路１１を通風し、途中でバイパス風路２３を通して吸気口８から直接取り入れられた空気が混合されながら、温風吹出口９から本体ケース１０外に吹き出される。
【００３２】
また、シーズヒーター４を作動させることにより、上段燃焼室１２Ｂ内を通流する空気が加熱されることになる。つまり、上段燃焼室１２Ｂ内は、燃焼式暖房用送風機２としての共用送風機７の通風作用によって通風される通風領域であり、シーズヒーター４がこのような通風領域に配置されることになる。
【００３３】
次に、シーズヒーター４による温風の生成形態について説明する。
共用送風機７を作動させることにより、先に、ガスバーナー１による温風の生成形態について説明したのと同様に、温風通風路１１を通して、吸気口８及び上段用燃焼ガス吹出口１４Ｂに吸引作用し、上段用燃焼ガス吹出口１４Ｂ、上段燃焼室１２Ｂ、上段用空気取入口１３Ｂ及び連通用開口部１７を介して吸気口８に吸引作用すると共に、上段用燃焼ガス吹出口１４Ｂ、上段燃焼室１２Ｂ、下段用燃焼ガス吹出口１４Ａ、下段燃焼室１２Ａ、下段用空気取入口１３Ａ及び連通用開口部１７を介して吸気口８に吸引作用し、並びに、バイパス風路２３を通して吸気口８に吸引作用する。
すると、吸気口８から取り入れられた空気は、連通用開口部１７を介して、上段用空気取入口１３Ｂから上段燃焼室１２Ｂ内に導入されて、シーズヒーター４により加熱されたのち、下段用燃焼ガス吹出口１４Ａから吹き出される空気と混合されて、上段用燃焼ガス吹出口１４Ｂから温風通風路１１に吹き出され、吸気口８から直接温風通風路１１の上流端に導入された空気と混合されて温風が生成され、その温風が温風通風路１１を通風し、途中でバイパス風路２３を通して吸気口８から直接取り入れられた空気が混合されながら、温風吹出口９から本体ケース１０外に吹き出される。
【００３４】
図２に示すように、本体ケース１０内には、吸気口８から吸い込まれる空気の温度を室内温度として検出する室温センサ２５（本発明の温度測定手段の一例）が設けられている。ハイブリッド式温風暖房機の過熱防止用として、通風路形成体２０の外面に、温風通風路１１内の温度を検出可能に通風路温度センサ２６が設けられ、並びに、通風路形成体２０からの伝熱により加熱可能に温度ヒューズ２７が設けられている。図３に示すように、ガスバーナー１にて形成される火炎（一次火炎Ｆａ）を検出する火炎センサ２８が設けられている。
【００３５】
本実施形態では、火炎センサ２８は熱電対などを用いて構成される。従って、ガスバーナー１が燃料ガスを燃焼していれば、火炎センサ２８はその燃焼熱によってガスバーナー１が燃焼している状態を検出でき、ガスバーナー１が燃料ガスを燃焼していなければ、火炎センサ２８はガスバーナー１が燃焼していない状態を検出できる。つまり、火炎センサ２８は、温度によってガスバーナー１の燃焼状態を検出する燃焼状態検出手段として機能する。従って、火炎センサ２８は、ガスバーナー１にて形成される火炎（一次火炎Ｆａ）に接触する位置又はその近傍など、ガスバーナー１の燃焼熱が伝わり易い位置に設置されることが好ましい。加えて、火炎センサ２８は、シーズヒーター４から放出される熱が伝わり難い位置に設置されることが好ましい。そうすると、火炎センサ２８は、シーズヒーター４から放出される熱ではなく、ガスバーナー１の燃焼熱を選択的に検出できるようになる。
【００３６】
更に、図３に示すように、燃料供給路１５には、ガスバーナー１への燃料ガスの供給を断続する燃料断続弁２９、及び、ガスバーナー１への燃料ガスの単位時間当たりの供給量を調整する燃料調整弁（燃料調整器の一例）３０が設けられている。燃料断続弁２９は電磁弁にて構成され、燃料調整弁３０は比例電磁弁にて構成される。ガスバーナー１のガスバーナー本体１ｍの上方近傍に位置させて、ガスバーナー１で燃料ガスに点火するための火花を発生させる点火器３１が設けられている。
【００３７】
図１に示すように、操作部６は、本体ケース１０の上面に設けられ、図４に示すように、その操作部６には、ハイブリッド式温風暖房機の運転の開始及び停止を指令するメイン運転スイッチ４１、停止用時間条件が満たされると運転を停止するおやすみタイマー運転を設定するおやすみタイマースイッチ４２、開始用時間条件が満たされると運転を開始するおはようタイマー運転を設定するおはようタイマースイッチ４３、電気式暖房部Ｈｅによる暖房（以下、電気式暖房運転と記載する場合がある）の開始及び停止を指令する電気ヒーター運転スイッチ４４、シーズヒーター４の出力であるヒーター出力を複数段階（この実施形態では、強、弱の２段階）に設定可能なヒーター出力切換スイッチ４５、暖房運転の目標温度、おやすみタイマー運転を実行させるおやすみタイマー時間、及び、おはようタイマー運転を開始させるまでの時間間隔等を設定する温度／時間設定スイッチ４６、燃焼式暖房部Ｈｆと電気式暖房部Ｈｅとの両方を同時に作動させるハイブリッド式暖房の運転を許可するハイブリッドスイッチ４７等が設けられている。
【００３８】
更に、操作部６には、ハイブリッド式温風暖房機の運転中に点灯される運転ランプ５１、おやすみタイマー運転の設定中に点灯されるおやすみタイマーランプ５２、おはようタイマー運転の設定中に点灯されるおはようタイマーランプ５３、電気式暖房運転の実行中に点灯されるヒーター運転ランプ５４、ヒーター出力切換スイッチ４５にて設定されたヒーター出力を表示するヒーター出力ランプ５５、及び、温度／時間設定スイッチ４６にて設定された温度や時間を表示する温度／時間表示部５６、ハイブリッド式暖房の運転が許可されているときに点灯されるハイブリッドランプ５７等が設けられている。
【００３９】
使用者は、温度／時間設定スイッチ４６を押し操作することで、暖房運転の目標温度を設定できる。例えば、使用者は、１２℃〜２６℃までの温度を目標温度として１℃刻みで設定できる。加えて、使用者は、１２℃よりも低い設定温度に対応する設定状態として「Ｌ（ロー）」を設定でき、２６℃よりも高い設定温度に対応する設定状態として「Ｈ（ハイ）」を設定できる。例えば、「Ｌ（ロー）」が設定された場合には暖房運転の目標温度は１０℃等の低温度となり、「Ｈ（ハイ）」が設定された場合には暖房運転の目標温度は４０℃などの高温度になる。
【００４０】
次に、運転制御部５の制御動作について説明する。
図５に示すように、運転制御部５には、メイン運転スイッチ４１、おやすみタイマースイッチ４２、おはようタイマースイッチ４３、電気ヒーター運転スイッチ４４、ヒーター出力切換スイッチ４５及び温度／時間設定スイッチ４６、ハイブリッドスイッチ４７等の各種スイッチからの指令情報、並びに、室温センサ２５、通風路温度センサ２６及び火炎センサ２８等の各種センサの検出情報が入力される。
【００４１】
運転制御部５は、入力される各種スイッチからの指令情報及び各種センサの検出情報に基づいて、シーズヒーター４、点火器３１、ファン駆動用モータ７ｍ、燃料断続弁２９及び燃料調整弁３０等の各種機器、運転ランプ５１、おやすみタイマーランプ５２、おはようタイマーランプ５３、ヒーター運転ランプ５４及びヒーター出力ランプ５５、ハイブリッドランプ５７等の各種ランプ、並びに、温度／時間表示部５６等の作動を制御することにより、ハイブリッド式温風暖房機の運転を制御するように構成されている。
【００４２】
具体的には、運転制御部５は、燃焼式暖房部Ｈｆを作動させることによる燃焼式暖房運転、電気式暖房部Ｈｅを作動させることによる電気式暖房運転、燃焼式暖房部Ｈｆ及び電気式暖房部Ｈｅの同時作動を許可するハイブリッド暖房運転、停止用時間条件が満たされると運転を停止するおやすみタイマー運転、及び、開始用時間条件が満たされると運転を開始するおはようタイマー運転の各種運転を択一的に実行可能に構成されている。
また、運転制御部５は、おやすみタイマー運転及びおはようタイマー運転夫々において、ガスバーナー１を連続して燃焼させる時間が所定の許容連続燃焼運転時間に達すると、ガスバーナー１の燃焼を停止するように構成されている。ちなみに、許容連続燃焼運転時間は、暖房対象空間を換気することなく安全に燃焼式暖房部Ｈｆを連続して運転可能な上限時間に設定され、この実施形態では、例えば６０分に設定される。
【００４３】
以下、燃焼式暖房運転、電気式暖房運転、ハイブリッド式暖房運転の各運転について説明する。
【００４４】
〔燃焼式暖房運転〕
運転制御部５は、メイン運転スイッチ４１により運転の開始が指令されると、ファン駆動用モータ７ｍを作動させ、並びに、燃料断続弁２９及び燃料調整弁３０を開弁すると共に、点火器３１を作動させる点火処理を実行して、ガスバーナー１を燃焼させることにより、ガスバーナー１の燃焼ガスにより生成された温風を室内に吹き出す燃焼式暖房運転を開始し、運転ランプ５１を点灯する。
運転制御部５は、燃焼式暖房運転の実行中は、室温センサ２５の検出温度が温度／時間設定スイッチ４６にて設定された目標温度になるように、燃料調整弁３０の開度を調整してガスバーナー１の燃焼量を調整する燃焼制御を実行する。
【００４５】
運転制御部５は、燃焼式暖房運転の実行中に、メイン運転スイッチ４１が再度押されて運転の停止が指令されると、燃料断続弁２９及び燃料調整弁３０を閉弁すると共に、ファン駆動用モータ７ｍを停止する消火処理を実行して、ガスバーナー１を消火させることにより、燃焼式暖房運転を停止し、並びに、運転ランプ５１を消灯する。
また、運転制御部５は、燃焼式暖房運転の開始に伴って、消し忘れ防止タイマーを作動させ、消し忘れ防止タイマーがタイムアップすると、消火処理を実行して燃焼式暖房運転を停止する。消し忘れ防止タイマーは、温度／時間設定スイッチ４６により、３時間、５時間、８時間のいずれかに設定することができる。
尚、運転制御部５は、燃焼式暖房運転の実行中に、通風路温度センサ２６の検出温度が予め設定された過熱防止用設定温度以上になったり、火炎センサ２８によりガスバーナー１の立ち消えが検出されると、消火処理を実行して燃焼式暖房運転を停止する。
【００４６】
〔電気式暖房運転〕
運転制御部５は、電気ヒーター運転スイッチ４４により電気式暖房運転の開始が指令されると、ファン駆動用モータ７ｍ及びシーズヒーター４を作動させることにより、電気式暖房運転を開始すると共に、ヒーター運転ランプ５４を点灯する。
また、運転制御部５は、ヒーター出力切換スイッチ４５が繰り返し押されると、ヒーター出力ランプ５５を全て消灯している状態から、ヒーター出力切換スイッチ４５が押されるに伴って、弱のヒーター出力に対応するヒーター出力ランプ５５を点灯する状態、強のヒーター出力に対応するヒーター出力ランプ５５を点灯する状態、全てのヒーター出力ランプ５５を消灯する状態に、ヒーター出力ランプ５５の制御状態を順次変化させる。
【００４７】
そして、運転制御部５は、電気式暖房運転の実行中に、全てのヒーター出力ランプ５５を消灯している状態では、室温センサ２５の検出温度が温度／時間設定スイッチ４６にて設定された目標温度になるように、シーズヒーター４の出力を調整するヒーター出力制御を実行することにより、温度調整モードにて電気式暖房運転を実行する。
また、運転制御部５は、電気式暖房運転の実行中に、弱、強のいずれかのヒーター出力に対応するヒーター出力ランプ５５を点灯させているときは、点灯させているヒーター出力ランプ５５に対応するヒーター出力でシーズヒーター４を作動させるヒーター出力制御を実行することにより、定出力モードにて電気式暖房運転を実行する。
【００４８】
運転制御部５は、温度調整モードか定出力モードによる電気式暖房運転の実行中に、電気ヒーター運転スイッチ４４が再度押されて、電気式暖房運転の停止が指令されると、シーズヒーター４及びファン駆動用モータ７ｍの作動を停止して、電気式暖房運転を停止する。
また、運転制御部５は、電気式暖房運転の開始に伴って、消し忘れ防止タイマーを作動させ、消し忘れ防止タイマーがタイムアップすると、シーズヒーター４及びファン駆動用モータ７ｍの作動を停止して、電気式暖房運転を停止する。
尚、運転制御部５は、電気式暖房運転の実行中に、通風路温度センサ２６の検出温度が過熱防止用設定温度以上になると、シーズヒーター４及びファン駆動用モータ７ｍの作動を停止して、電気式暖房運転を停止する。
【００４９】
つまり、運転制御部５が、電気式暖房部Ｈｅを、室温を検出する室温センサ２５の検出温度が目標温度になるようにシーズヒーター４の出力を調整する温度調整モードか、シーズヒーター４をヒーター出力切換スイッチ４５により設定されたヒーター出力で作動させる定出力モードで択一的に運転可能に構成されていることになる。
そして、ヒーター出力切換スイッチ４５が、ヒーター出力を複数段階（この実施形態では、強、弱の２段階）に設定可能に構成されていることになる。
【００５０】
〔ハイブリッド式暖房運転〕
運転制御部５は、ハイブリッドスイッチ４７がオン操作されてハイブリッド式暖房の運転が許可されている状態でメイン運転スイッチ４１により運転の開始が指令されると、ハイブリッド式暖房運転を開始する。このとき、運転制御部５は、ファン駆動用モータ７ｍを作動させ、並びに、燃料断続弁２９及び燃料調整弁３０を開弁すると共に、点火器３１を作動させる点火処理を実行して、ガスバーナー１を燃焼させることにより、ガスバーナー１の燃焼ガスにより生成された温風を室内に吹き出す燃焼式暖房運転を開始し、運転ランプ５１を点灯する。加えて、運転制御部５は、シーズヒーター４を作動させることにより、電気式暖房運転を開始すると共に、ヒーター運転ランプ５４を点灯する。
【００５１】
運転制御部５は、燃焼式暖房部Ｈｆ及び電気式暖房部Ｈｅを併用するハイブリッド式暖房において、室温センサ２５が測定する空気の温度が所定の目標温度となるように、室温センサ２５が測定する空気の温度と目標温度との温度差に基づいて、暖房手段Ｈの目標暖房出力を最低暖房出力と最高暖房出力との間から決定する出力決定処理を行い、出力決定処理において決定した目標暖房出力を発揮するように暖房手段Ｈを動作させる。
【００５２】
本実施形態では、以下の表１に示すように、暖房手段Ｈの暖房出力は、１段目（０．５２ｋＷ）〜１０段目（３．６４ｋＷ）の間の何れかの段階の出力に調節される。具体的には、運転制御部５は、暖房手段Ｈの目標暖房出力が最低暖房出力（１段目：０．５２ｋＷ）と最高暖房出力（１０段目：３．６４ｋＷ）との間の所定の中途暖房出力（７段目：２．４４ｋＷ）以下のとき、電気式暖房部Ｈｅのシーズヒーター４が動作せず、且つ、燃焼式暖房部Ｈｆのガスバーナー１が最低燃焼暖房出力（０．５２ｋＷ）と最高燃焼暖房出力（２．４４ｋＷ）との間の所定の燃焼暖房出力を発揮するように動作する状態で暖房手段Ｈを動作させる。これに対して、運転制御部５は、暖房手段Ｈの目標暖房出力が上記中途暖房出力（７段目：２．４４ｋＷ）より大きいとき、燃焼式暖房部Ｈｆのガスバーナー１が最高燃焼暖房出力（２．４４ｋＷ）を発揮するように動作し、且つ、電気式暖房部Ｈｅのシーズヒーター４が最低電気暖房出力（０．４０ｋＷ）と最高電気暖房出力（１．２０ｋＷ）との間の所定の電気暖房出力を発揮するように動作する状態で暖房手段Ｈを動作させる。
【００５３】
燃焼式暖房部Ｈｆのガスバーナー１の燃焼暖房出力は、ガスバーナー１への単位時間当たりの燃料ガスの供給量を調節することで変化させることができる。運転制御部５は、各燃焼暖房出力に対応する供給燃料量を記憶しており、燃料調整弁３０の弁開度をその供給燃料量に対応する開度に調節することで、ガスバーナー１への単位時間当たりの燃料ガスの供給量を調節できる。電気式暖房部Ｈｅのシーズヒーター４の電気暖房出力は、シーズヒーター４への通電量を調節することで変化させることができる。運転制御部５は、各電気暖房出力に対応する通電量を記憶しており、例えばトライアック等の半導体素子を用いることで、シーズヒーター４への通電量を調節できる。また、運転制御部５は、暖房手段Ｈの暖房出力に応じた出力で送風機７を運転させる。
【００５４】
【表１】
0006715673.tif 000002
【００５５】
図６は、ハイブリッド式暖房での運転を説明するフローチャートである。
運転制御部５は、ハイブリッドスイッチ４７がオン状態に切り替えられた状態で運転スイッチがオン操作されると、ハイブリッド式暖房での暖房手段Ｈの運転が指示されたと判断する。そして、工程＃１０において運転制御部５は、暖房手段Ｈの動作を開始する。本例では、工程＃１０において運転制御部５は、暖房手段Ｈの目標暖房出力を最高暖房出力（１０段目：３．６４ｋＷ）に設定した状態で、暖房手段Ｈの動作を開始する。つまり、運転制御部５は、燃焼式暖房部Ｈｆのガスバーナー１が最高燃焼暖房出力（２．４４ｋＷ）を発揮するように動作し、且つ、電気式暖房部Ｈｅのシーズヒーター４が最高電気暖房出力（１．２０ｋＷ）を発揮するように動作する状態で暖房手段Ｈを動作させる。これにより、暖房対象空間の温度が素早く上昇することになる。
【００５６】
図７は、上記工程＃１０で行われる暖房手段Ｈの動作開始処理を説明するフローチャートである。この動作開始処理において、運転制御部５は、燃料調整弁３０及び送風機７の動作を制御してガスバーナー１へ燃料ガス及び空気を供給すると共に点火器３１で火花を発生させることで燃焼式暖房部Ｈｆのガスバーナー１の燃焼を開始させ、燃焼式暖房部Ｈｆのガスバーナー１の燃焼開始を火炎センサ２８によって検出した後、点火器３１での火花の発生を停止させる。例えば、火炎センサ２８が熱電対を用いて構成されている場合、運転制御部５は、ガスバーナー１への燃料ガス及び空気の供給と点火器３１による火花の発生とを開始してから所定の時間内に火炎センサ２８としての熱電対から出力される熱起電力が所定の閾値以上になると、ガスバーナー１に着火したと判定する。そして、運転制御部５は、この動作開始処理において、上述したように燃焼式暖房部Ｈｆのガスバーナー１の燃焼開始を火炎センサ２８によって検出した後、電気式暖房部Ｈｅのシーズヒーター４への通電を開始して電気式暖房部Ｈｅの出力を目標電気暖房出力にさせる。
尚、運転制御部５は、ガスバーナー１への燃料ガス及び空気の供給と点火器３１による火花の発生とを開始してから所定の時間内に火炎センサ２８としての熱電対から出力される熱起電力が所定の閾値以上にならなければ、ガスバーナー１に着火していないと判定する。そして、運転制御部５は、燃料断続弁２９及び燃料調整弁３０を閉弁すると共に、ファン駆動用モータ７ｍを停止する消火処理を実行して、例えば、運転ランプ５１を点滅させるなどのエラー表示を行う。
【００５７】
具体的に説明すると、工程＃２０において運転制御部５は、ファン駆動用モータ７ｍを動作開始させることでガスバーナー１に空気を供給する。次に工程＃２１において運転制御部５は、熱電対等を用いて構成される火炎センサ２８が出力する熱起電力が一定値以下であるか否かを判定する。この時点ではガスバーナー１での燃料ガスの燃焼は行われていないので、火炎センサ２８が正常であれば、熱起電力は一定値以下になっているはずである。そのため、火炎センサ２８が出力する熱起電力が一定値以下であれば（即ち、正常な出力であれば）、工程＃２５に移行する。これに対して、火炎センサ２８が出力する熱起電力が一定値以下でなければ（即ち、異常な出力であれば）、工程＃２２に移行してタイマーのカウントを行い、カウントがタイムアップするまで、工程＃２１を繰り返し行う。尚、火炎センサ２８が出力する熱起電力が一定値より大きいままでカウントアップすると（即ち、異常な出力が解消されなかった）、ファン駆動用モータ７ｍを停止させ（工程＃２３）、火炎センサ２８が異常であると判定し及びその旨のエラーを報知する。例えば、運転制御部５は、運転ランプ５１を点滅させるといったエラー報知を行う。
【００５８】
火炎センサ２８が正常であれば、工程＃２５において運転制御部５は、点火器３１を動作開始させ、及び、ガスバーナー１への燃料ガスの供給を開始させる。従って、正常であれば、ガスバーナー１での燃料ガスの燃焼が開始されて、火炎センサ２８が出力する熱起電力が上昇するはずである。
【００５９】
次に、工程＃２６において運転制御部５は、火炎センサ２８が出力する熱起電力が所定の閾値以上であるか否かを判定する。この時点ではガスバーナー１での燃料ガスの燃焼は行われているので、火炎センサ２８が正常であれば、熱起電力は所定の閾値以上になっているはずである。そのため、火炎センサ２８が出力する熱起電力が所定の閾値以上であれば（即ち、正常な出力であれば）、工程＃３１に移行する。これに対して、火炎センサ２８が出力する熱起電力が所定の閾値未満であれば（即ち、異常な出力であれば）、工程＃２７に移行してタイマーのカウントを行い、カウントがタイムアップするまで、工程＃２６を繰り返し行う。尚、ガスバーナー１での燃料ガスの燃焼が行われていない等の理由により、火炎センサ２８が出力する熱起電力が所定の閾値未満のままでカウントアップすると（即ち、異常な出力が解消されなかった）、点火器３１の動作を停止させ及び燃料ガスの供給を停止して（工程＃２８）、ファン駆動用モータ７ｍを停止させて空気の供給を停止して（工程＃２９）、ガスバーナー１での着火が不良であると判定し及びその旨のエラーを報知する。例えば、運転制御部５は、運転ランプ５１を点滅させるといったエラー報知を行う。
【００６０】
工程＃２６において火炎センサ２８が出力する熱起電力が正常であると判定されれば（即ち、ガスバーナー１での燃料ガスの燃焼が正常に行われれば）、工程＃３１において運転制御部５は、点火器３１を動作停止させる。加えて、工程＃３２において運転制御部５は、シーズヒーター４への通電を開始させて電気式暖房部Ｈｅを動作開始させる。そして、運転制御部５は、図６を参照して説明したように、燃焼式暖房部Ｈｆのガスバーナー１が最高燃焼暖房出力（２．４４ｋＷ）を目標燃焼暖房出力として発揮するように動作し、且つ、電気式暖房部Ｈｅのシーズヒーター４が最高電気暖房出力（１．２０ｋＷ）を目標電気暖房出力として発揮するように動作する状態で暖房手段Ｈを動作させる。
【００６１】
このように、運転制御部５は、燃焼式暖房部Ｈｆ及び電気式暖房部Ｈｅを共に動作開始させて燃焼式暖房部Ｈｆの出力を所定の目標燃焼暖房出力にさせ且つ電気式暖房部Ｈｅの出力を所定の目標電気暖房出力にさせる動作開始処理において、燃焼式暖房部Ｈｆのガスバーナー１の燃焼開始を燃焼状態検出手段としての火炎センサ２８によって検出した後、電気式暖房部Ｈｅの出力を目標電気暖房出力にさせる。つまり、この動作開始処理において、ガスバーナー１の燃焼開始を火炎センサ２８で検出するとき、電気式暖房部Ｈｅの出力は未だ目標電気暖房出力にはされておらず、電気式暖房部Ｈｅのシーズヒーター４から放出される熱は小さい状態になっている。そのため、火炎センサ２８が、電気式暖房部Ｈｅのシーズヒーター４が放出した熱を、燃焼式暖房部Ｈｆのガスバーナー１で燃料ガスの燃焼が開始されたことで放出された熱であると誤認することを回避できる。
【００６２】
特に本実施形態では、運転制御部５は、動作開始処理において、燃焼式暖房部Ｈｆのガスバーナー１が燃焼開始したと判定されるより前にシーズヒーター４への通電を開始させず、燃焼式暖房部Ｈｆのガスバーナー１の燃焼開始を火炎センサ２８によって検出した後で、シーズヒーター４への通電を開始して電気式暖房部Ｈｅの出力を目標電気暖房出力にさせている。つまり、火炎センサ２８を用いて燃焼式暖房部Ｈｆのガスバーナー１の燃焼開始を検出するまでは、シーズヒーター４への通電が行われないため、シーズヒーター４からの熱の放出は行われない。その結果、火炎センサ２８は、燃焼式暖房部Ｈｆのガスバーナー１に着火したか否かを確実に検出できる。
【００６３】
その後、工程＃１１において運転制御部５は、室温センサ２５が測定する暖房対象空間の空気の温度が、温度／時間設定スイッチ４６にて設定された目標温度に到達したか否かを判定する。そして、運転制御部５は、暖房対象空間の空気の温度が目標温度に未だ到達していないならば工程＃１１を再び実行し、暖房対象空間の空気の温度が目標温度に到達しているならば工程＃１２に移行する。
このように、本実施形態において運転制御部５は、暖房手段Ｈの動作開始の直後は、暖房対象空間の温度が目標温度に到達するまで、暖房手段Ｈの目標暖房出力を最高暖房出力（１０段目：３．６４ｋＷ）に設定した状態で、その暖房手段Ｈを動作させる。
【００６４】
工程＃１２において運転制御手段は、暖房対象空間の空気の温度（室温）が「目標温度＋１℃」よりも高いか否かを判定する。そして、運転制御部５は、暖房対象空間の空気の温度（室温）が「目標温度＋１℃」以下の場合には工程＃１４に移行し、暖房対象空間の空気の温度（室温）が「目標温度＋１℃」よりも高い場合には工程＃１３に移行する。
【００６５】
工程＃１３において運転制御部５は、暖房手段Ｈの目標暖房出力を決定する出力決定処理を行う。つまり、暖房対象空間の空気の温度（室温）が「目標温度＋１℃」よりも高い状態というのは、暖房手段Ｈの暖房出力が過剰である状態と見なすことができる。そこで、工程＃１３において運転制御部５は、暖房手段Ｈの暖房出力を減少側に変化させる調節を行う。具体的には、運転制御部５は、暖房手段Ｈの現在の暖房出力よりも１段階下の暖房出力を新たな目標暖房出力として暖房手段Ｈを動作させる。例えば、運転制御部５は、暖房手段Ｈの現在の目標暖房出力が１０段目（３．６４ｋＷ）であれば、次に９段目（３．２４ｋＷ）を新たな目標暖房出力として暖房手段Ｈを動作させる。このとき、運転制御部５は、燃焼式暖房部Ｈｆのガスバーナー１の燃焼暖房出力を２．４４ｋＷにさせ、電気式暖房部Ｈｅのシーズヒーター４の電気暖房出力を０．８０ｋＷにさせる状態で暖房手段Ｈを動作させる。
このように、工程＃１３において運転制御部５は、室温センサ２５が測定する空気の温度と目標温度との温度差に基づいて、暖房手段Ｈの暖房出力を減少側に変化させる調節を行うことで、室温センサ２５が測定する暖房対象空間の室温が目標温度に近付くことを期待できる。
【００６６】
工程＃１４において運転制御部５は、暖房対象空間の空気の温度（室温）が「目標温度−１℃」よりも低いか否かを判定する。そして、運転制御部５は、暖房対象空間の空気の温度（室温）が「目標温度−１℃」以上の場合には工程＃１６に移行し、暖房対象空間の空気の温度（室温）が「目標温度−１℃」よりも低い場合には工程＃１５に移行する。
【００６７】
工程＃１５において運転制御部５は、暖房手段Ｈの目標暖房出力を決定する出力決定処理を行う。つまり、暖房対象空間の空気の温度（室温）が「目標温度−１℃」よりも低い状態というのは、暖房手段Ｈの暖房出力が過少である状態と見なすことができる。そこで、工程＃１５において運転制御部５は、暖房手段Ｈの暖房出力を増加側に変化させる調節を行う。具体的には、運転制御部５は、暖房手段Ｈの現在の暖房出力よりも１段階上の暖房出力を新たな目標暖房出力として暖房手段Ｈを動作させる。例えば、運転制御部５は、暖房手段Ｈの現在の目標暖房出力が８段目（２．８４ｋＷ）であれば、次に９段目（３．２４ｋＷ）を新たな目標暖房出力として暖房手段Ｈを動作させる。このとき、運転制御部５は、燃焼式暖房部Ｈｆのガスバーナー１の燃焼暖房出力を２．４４ｋＷにさせ、電気式暖房部Ｈｅのシーズヒーター４の電気暖房出力を０．８０ｋＷにさせる状態で暖房手段Ｈを動作させる。
このように、工程＃１３において運転制御部５は、室温センサ２５が測定する空気の温度と目標温度との温度差に基づいて、暖房手段Ｈの暖房出力を増加側に変化させる調節を行うことで、室温センサ２５が測定する暖房対象空間の室温が目標温度に近付くことを期待できる。
【００６８】
次に、工程＃１６において運転制御部５は、運転スイッチがオフ操作されたか否かを判定する。そして、運転制御部５は、運転スイッチがオフ操作された場合には工程＃１７に移行して暖房手段Ｈの運転を停止させる。これに対して、運転制御部５は、運転スイッチがオフ操作されていない場合には、暖房手段Ｈの運転を継続して、工程＃１２に移行する。
【００６９】
以上のように、本実施形態のハイブリッド式温風暖房機では、表１に示したように、暖房手段Ｈの目標暖房出力を最低暖房出力と所定の中途暖房出力の間にするときには、燃焼式暖房部Ｈｆのみが動作するので、暖房コストの上昇を抑制できる。これに対して、暖房手段Ｈの目標暖房出力を上記所定の中途暖房出力と最高暖房出力との間にするときには、燃焼式暖房部Ｈｆ及び電気式暖房部Ｈｅの両方が動作するので、暖房手段Ｈによる暖房出力を充分に確保できる。また、暖房手段Ｈの目標暖房出力を大きくするときには、目標暖房出力が上記中途暖房出力になるまでは燃焼式暖房部Ｈｆの燃焼暖房出力を優先して増加させ、目標暖房出力が上記中途暖房出力より大きくなると電気式暖房部Ｈｅの電気暖房出力を増加させる。これに対して、暖房手段Ｈの目標暖房出力を小さくするときには、目標暖房出力が上記中途暖房出力になるまでは電気式暖房部Ｈｅの電気暖房出力を優先して減少させ、目標暖房出力が上記中途暖房出力以下になると燃焼式暖房部Ｈｆの燃焼暖房出力を減少させる。つまり、暖房手段Ｈの目標暖房出力を大きくするときには燃焼式暖房部Ｈｆの燃焼暖房出力を優先して増加させ、暖房手段Ｈの目標暖房出力を小さくするときには電気式暖房部Ｈｅの電気暖房出力を優先して減少させるように燃焼式暖房部Ｈｆ及び電気式暖房部Ｈｅが運転される。従って、暖房手段Ｈによる暖房出力を充分に確保しながら、暖房コストの上昇を抑制できるハイブリッド式温風暖房機を提供できる。
【００７０】
＜第２実施形態＞
第２実施形態のハイブリッド式温風暖房機は、動作開始処理における電気式暖房部の出力が上記実施形態と異なっている。以下に第２実施形態のハイブリッド式温風暖房機について説明するが、上記実施形態と同様の構成については説明を省略する。
【００７１】
本実施形態では、運転制御部５は、上記動作開始処理において、燃焼式暖房部Ｈｆのガスバーナー１の燃焼を開始させて燃焼式暖房部Ｈｆの出力を目標燃焼暖房出力にさせ且つシーズヒーター４への通電を開始させて電気式暖房部Ｈｅの出力を目標電気暖房出力未満の所定の過渡電気暖房出力にさせ、燃焼式暖房部Ｈｆのガスバーナー１の燃焼開始を火炎センサ２８によって検出した後、電気式暖房部Ｈｅの出力を目標電気暖房出力にさせる。
【００７２】
具体的には、本実施形態において運転制御部５は、図７に示した工程＃２５において燃焼式暖房部Ｈｆのガスバーナー１の燃焼を開始させて燃焼式暖房部Ｈｆの出力を目標燃焼暖房出力にさせるとき、シーズヒーター４への通電も開始させて電気式暖房部Ｈｅの出力を目標電気暖房出力未満の所定の過渡電気暖房出力にさせる。例えば、運転制御部５は、目標電気暖房出力が最高電気暖房出力（１．２０ｋＷ）である場合、ここでは電気式暖房部Ｈｅの出力を例えば０．１０ｋＷなどの所定の過渡電気暖房出力にさせるようにシーズヒーター４への通電を行う。尚、ここで記載した０．１０ｋＷという過渡電気暖房出力の値は例示目的で記載したものであり、適宜変更可能である。
【００７３】
その後、運転制御部５は、図７に示した工程＃３２において燃焼式暖房部Ｈｆのガスバーナー１の燃焼を開始させて燃焼式暖房部Ｈｆの出力を目標燃焼暖房出力にさせるときに、電気式暖房部Ｈｅが最高電気暖房出力（１．２０ｋＷ）を目標電気暖房出力として発揮するようにシーズヒーター４への通電を行う。
【００７４】
このように、火炎センサ２８が燃焼式暖房部Ｈｆのガスバーナー１の燃焼開始を検出するまでの間にシーズヒーター４への通電が開始されてシーズヒーター４が温まっていると、燃焼式暖房部Ｈｆのガスバーナー１の燃焼開始を火炎センサ２８によって検出した後に工程＃３２で電気式暖房部Ｈｅの出力を上昇させるとき、その電気式暖房部Ｈｅの出力が目標電気暖房出力になるまでの所要時間が短くなることを期待できる。
【００７５】
＜別実施形態＞
＜１＞
上記実施形態では、本発明のハイブリッド式温風暖房機の構成について具体例を挙げて説明したが、その構成は適宜変更可能である。
上記実施形態では、燃焼式暖房部Ｈｆのバーナーとして、燃料ガスを燃焼するガスバーナー１を用いる例を説明したが、石油等の液体燃料を燃料とするバーナーを用いてもよい。また、上記実施形態では、電気ヒーターの具体例としてシーズヒーター４を説明したが、ニクロム線ヒーター、石英管ヒーター、セラミックヒーター、カーボンヒーター等、種々のヒーターを用いてもよい。
他にも、電気式暖房部Ｈｅのシーズヒーター４の設置位置は、上記実施形態で説明した位置に限定されるものではなく、例えば、温風通風路１１内やバイパス風路２３内でも良い。
更に、上記実施形態では、燃焼式暖房用送風機２と電気式暖房用送風機３とに共用される共用送風機７を設ける例を説明したが、燃焼式暖房用送風機２と電気式暖房用送風機３とを別個に配置して、シーズヒーター４を電気式暖房用送風機３の通風作用によって通風される通風領域に配置しても良い。
温度によってガスバーナー１の燃焼状態を検出する燃焼状態検出手段の例として熱電対を挙げたが、他の機器を燃焼状態検出手段として用いてもよい。
【００７６】
＜２＞
上記実施形態（別実施形態を含む、以下同じ）で開示される構成は、矛盾が生じない限り、他の実施形態で開示される構成と組み合わせて適用でき、また、本明細書において開示された実施形態は例示であって、本発明の実施形態はこれに限定されず、本発明の目的を逸脱しない範囲内で適宜改変できる。
【産業上の利用可能性】
【００７７】
本発明は、燃焼式暖房部のバーナーの着火を適切に検出できるハイブリッド式温風暖房機に利用できる。
【符号の説明】
【００７８】
１  ガスバーナー（バーナー）
２  燃焼式暖房用送風機
３  電気式暖房用送風機
４  シーズヒーター（電気ヒーター）
５  運転制御部（運転制御手段）
７  共用送風機
２８  火炎センサ（燃焼状態検出手段）
３０  燃料調整弁（燃料調整器）
３１  点火器
Ｈ  暖房手段
Ｈｅ  電気式暖房部
Ｈｆ  燃焼式暖房部
【図１】
0006715673.tif 000003
【図２】
0006715673.tif 000004
【図３】
0006715673.tif 000005
【図４】
0006715673.tif 000006
【図５】
0006715673.tif 000007
【図６】
0006715673.tif 000008
【図７】
0006715673.tif 000009